(57)【要約】【課題】画像信号の入力頻度を向上させることで、フィールドシーケンシャル方式によって表示を行う液晶表示装置の画質を向上させること。【解決手段】マトリクス状に配設された画素のうち、複数行に配設された画素に対して同時に画像信号を供給する。これにより、当該液晶表示装置の各画素に対する画像信号の入力頻度を向上させることが可能になる。その結果、当該液晶表示装置は、フィールドシーケンシャル方式によって表示を行う液晶表示装置におけるカラーブレイクなどの表示劣化を抑制し、画質を向上させることが可能である。【選択図】図５
2012027452.tif 000002
【特許請求の範囲】
【請求項１】
異なる色を呈する複数の光源のそれぞれが点滅を繰り返し、且つｍ行ｎ列（ｍ、ｎは、４以上の自然数）に配設された複数の画素毎にそれぞれの色を呈する光の透過を制御することで画素部に画像を形成する液晶表示装置の駆動方法であって、
第１のサンプリング期間において、１行目に配設されたｎ個の画素からｋ行目に配設されたｎ個の画素までに対する特定色を呈する光の透過を制御するための画像信号の供給、及び（ｋ＋１）行目に配設されたｎ個の画素から２ｋ行目に配設されたｎ個の画素までに対する前記特定色を呈する光の透過を制御するための画像信号の供給が並行して行われ、
前記第１のサンプリング期間に続く第２のサンプリング期間において、前記異なる色を呈する複数の光源の少なくとも一つが点灯することで前記画素部に前記特定色を呈する光が照射され、前記１行目に配設されたｎ個の画素乃至前記２ｋ行目に配設されたｎ個の画素のそれぞれにおいて前記特定色を呈する光の透過を制御することを特徴とする液晶表示装置の駆動方法。
【請求項２】
請求項１において、
前記第１のサンプリング期間において、前記異なる色を呈する複数の光源の全てが消灯し、
前記第２のサンプリング期間において、前記１行目に配設されたｎ個の画素乃至前記２ｋ行目に配設されたｎ個の画素の全てに対して画像信号が供給されないことを特徴とする液晶表示装置の駆動方法。
【請求項３】
請求項１又は請求項２において、
前記第２のサンプリング期間内において、前記ｋ行目に配設されたｎ個の画素及び前記２ｋ行目に配設されたｎ個の画素が有する液晶素子の前記特定色用の画像信号に対する応答が完了した後に、前記画素部に前記特定色を呈する光が照射されることを特徴とする液晶表示装置の駆動方法。
【請求項４】
請求項１乃至請求項３のいずれか一項において、
前記第２のサンプリング期間内において、前記画素部に前記特定色を呈する光が供給された後に、前記異なる色を呈する複数の光源の全てが消灯する消灯期間を設けることを特徴とする液晶表示装置の駆動方法。
【請求項５】
請求項４において、
前記消灯期間において、コモン反転駆動を行うことを特徴とする液晶表示装置の駆動方法。
【発明の詳細な説明】
【技術分野】
【０００１】
本発明は、液晶表示装置の駆動方法に関する。特に、フィールドシーケンシャル方式によって表示を行う液晶表示装置の駆動方法に関する。
【背景技術】
【０００２】
液晶表示装置の表示方法として、カラーフィルター方式及びフィールドシーケンシャル方式が知られている。前者によって表示を行う液晶表示装置では、各画素に、特定色を呈する波長の光のみを透過するカラーフィルター（例えば、赤（Ｒ）、緑（Ｇ）、青（Ｂ））を有する複数の副画素が設けられる。そして、副画素毎に白色光の透過を制御し、且つ画素毎に複数の色を混色することで所望の色を形成している。一方、後者によって表示を行う液晶表示装置では、それぞれが異なる色を呈する光を発光する複数の光源（例えば、赤（Ｒ）、緑（Ｇ）、青（Ｂ））が設けられる。そして、当該複数の光源のそれぞれが点滅を繰り返し、且つ画素毎にそれぞれの色を呈する光の透過を制御することで所望の色を形成している。すなわち、前者は、特定色を呈する光毎に一画素の面積を分割することで所望の色を形成する方式であり、後者は、特定色を呈する光毎に表示期間を時間分割することで所望の色を形成する方式である。
【０００３】
フィールドシーケンシャル方式によって表示を行う液晶表示装置は、カラーフィルター方式によって表示を行う液晶表示装置と比較し、以下の利点を有する。まず、フィールドシーケンシャル方式によって表示を行う液晶表示装置では、各画素に副画素を設ける必要がない。そのため、開口率を向上させること又は画素数を増加させることが可能である。加えて、フィールドシーケンシャル方式によって表示を行う液晶表示装置では、カラーフィルターを設ける必要がない。つまり、当該カラーフィルターにおける光吸収による光の損失がない。そのため、透過率を向上させること及び消費電力を低減することが可能である。
【０００４】
特許文献１では、フィールドシーケンシャル方式によって表示を行う液晶表示装置の表示方法が開示されている。具体的には、赤（Ｒ）、緑（Ｇ）、及び青（Ｂ）を順次点灯した後に黒表示を行う液晶表示装置の色表示方法が開示されている。
【先行技術文献】
【特許文献】
【０００５】
【特許文献１】特開２００７−２６４２１１号公報
【発明の概要】
【発明が解決しようとする課題】
【０００６】
フィールドシーケンシャル方式によって表示を行う液晶表示装置においては、各画素に対する画像信号の入力頻度を向上させる必要がある。例えば、赤（Ｒ）、緑（Ｇ）、青（Ｂ）のいずれか一を呈する光を発光する３種の光源を備えた液晶表示装置をフィールドシーケンシャル方式で表示させる場合、カラーフィルター方式によって表示を行う液晶表示装置と比較し、各画素に対する画像信号の入力頻度を少なくとも３倍にする必要がある。具体的に述べると、フレーム周波数が６０Ｈｚである場合、カラーフィルター方式によって表示を行う液晶表示装置では各画素に対する画像信号の入力を１秒間に６０回行う必要があるのに対し、当該３種の光源を備えた液晶表示装置をフィールドシーケンシャル方式によって表示させる場合、各画素に対する画像信号の入力を１秒間に１８０回行う必要がある。
【０００７】
一方、画像信号の入力頻度を向上するためには、各画素に設けられる素子の高速応答性が要求される。具体的には、各画素に設けられるトランジスタの移動度の向上などが要求される。しかしながら、これらの素子の特性を向上させることは容易ではない。
【０００８】
他方、フレーム周波数が低減された従来の液晶表示装置においてフィールドシーケンシャル方式による表示を行うことも可能である。しかしながら、この場合はカラーブレイクなどの表示劣化が顕在化するという問題がある。
【０００９】
そこで、本発明の一態様は、素子特性に制約されることがない方法によって、画像信号の入力頻度を向上させることで、フィールドシーケンシャル方式によって表示を行う液晶表示装置の画質を向上させることを目的の一とする。
【課題を解決するための手段】
【００１０】
上述した目的は、液晶表示装置の画素部において、マトリクス状に配設された画素のうち、複数行に配設された画素に対して同時に画像信号を供給することによって達成することができる。
【００１１】
すなわち、本発明の一態様は、異なる色を呈する複数の光源のそれぞれが点滅を繰り返し、且つｍ行ｎ列（ｍ、ｎは、４以上の自然数）に配設された複数の画素毎にそれぞれの色を呈する光の透過を制御することで画素部に画像を形成する液晶表示装置の駆動方法であって、第１のサンプリング期間において、１行目に配設されたｎ個の画素からｋ行目に配設されたｎ個の画素までに対する特定色を呈する光の透過を制御するための画像信号の供給、及び（ｋ＋１）行目に配設されたｎ個の画素から２ｋ行目に配設されたｎ個の画素までに対する前記特定色を呈する光の透過を制御するための画像信号の供給が並行して行われ、前記第１のサンプリング期間に続く第２のサンプリング期間において、前記異なる色を呈する複数の光源の少なくとも一つが点灯することで前記画素部に前記特定色を呈する光が照射され、前記１行目に配設されたｎ個の画素乃至前記２ｋ行目に配設されたｎ個の画素のそれぞれにおいて前記特定色を呈する光の透過を制御することを特徴とする液晶表示装置の駆動方法である。
【発明の効果】
【００１２】
本発明の一態様の液晶表示装置は、マトリクス状に配設された画素のうち、複数行に配設された画素に対して同時に画像信号を供給することが可能である。これにより、当該液晶表示装置が有するトランジスタの移動度などの特性に制約されることなく、各画素に対する画像信号の入力頻度を向上させることが可能になる。その結果、当該液晶表示装置は、フィールドシーケンシャル方式によって表示を行う液晶表示装置におけるカラーブレイクなどの表示劣化を抑制し、画質を向上させることが可能である。
【図面の簡単な説明】
【００１３】
【図１】（Ａ）液晶表示装置の構成例を示す図、（Ｂ）〜（Ｄ）画素の構成例を示す図。
【図２】（Ａ）走査線駆動回路の構成例を示す図、（Ｂ）走査線駆動回路の動作の一例を示す図。
【図３】（Ａ）信号線駆動回路の構成例を示す図、（Ｂ）信号線駆動回路の動作の一例を示す図。
【図４】バックライトの構成例を示す図。
【図５】液晶表示装置の動作例を説明する図。
【図６】（Ａ）、（Ｂ）液晶表示装置の動作例を説明する図。
【図７】（Ａ）、（Ｂ）液晶表示装置の動作例を説明する図。
【図８】（Ａ）走査線駆動回路の動作の一例を示す図、（Ｂ）信号線駆動回路の動作の一例を示す図。
【図９】液晶表示装置の動作例を説明する図。
【図１０】（Ａ）〜（Ｆ）電子機器の一例を示す図。
【発明を実施するための形態】
【００１４】
以下では、本発明の実施の形態について図面を用いて詳細に説明する。ただし、本発明は以下の説明に限定されず、本発明の趣旨およびその範囲から逸脱することなくその形態および詳細を様々に変更し得ることは、当業者であれば容易に理解される。したがって、本発明は以下に示す実施の形態の記載内容に限定して解釈されるものではない。
【００１５】
まず、本発明の一態様の液晶表示装置について図１〜図５を参照して説明する。
【００１６】
＜液晶表示装置の構成例＞
図１（Ａ）は、液晶表示装置の構成例を示す図である。図１（Ａ）に示す液晶表示装置は、画素部１０と、走査線駆動回路１１と、信号線駆動回路１２と、各々が平行又は略平行に配設され、且つ走査線駆動回路１１によって電位が制御されるｍ本（ｍは、３以上の自然数）の走査線１３と、各々が平行又は略平行に配設され、且つ信号線駆動回路１２によって電位が制御される、ｎ本（ｎは、２以上の自然数）の信号線１４１、ｎ本の信号線１４２、及びｎ本の信号線１４３と、を有する。
【００１７】
さらに、画素部１０は、３つの領域（領域１０１〜領域１０３）に分割され、領域毎にマトリクス状に配設された複数の画素を有する。なお、ここでは、領域１０１は、１行目乃至ｋ行目（ｋは、ｍ／２未満の自然数）に配設された走査線１３を含む領域であり、領域１０２は、（ｋ＋１）行目乃至２ｋ行目に配設された走査線１３を含む領域であり、領域１０３は、（２ｋ＋１）行目乃至ｍ行目に配設された走査線１３を含む領域であるとする。また、各走査線１３は、画素部１０においてマトリクス状（ｍ行ｎ列）に配設された複数の画素のうち、いずれかの行に配設されたｎ個の画素に電気的に接続される。また、各信号線１４１は、領域１０１においてマトリクス状に配設された複数の画素のうち、いずれかの列に配設されたｎ個の画素に電気的に接続される。また、各信号線１４２は、領域１０２においてマトリクス状に配設された複数の画素のうち、いずれかの列に配設されたｎ個の画素に電気的に接続される。また、各信号線１４３は、領域１０３においてマトリクス状に配設された複数の画素のうち、いずれかの列に配設されたｎ個の画素に電気的に接続される。
【００１８】
なお、走査線駆動回路１１には、外部から走査線駆動回路用スタートパルス（ＧＳＰ）、走査線駆動回路用クロック信号（ＧＣＫ）、走査線駆動回路用パルス幅制御信号（ＰＷＣ１、ＰＷＣ２）などの信号、及び高電源電位、低電源電位などの駆動用電源が入力される。また、信号線駆動回路１２には、外部から信号線駆動回路用スタートパルス（ＳＳＰ）、信号線駆動回路用クロック信号（ＳＣＫ）、画像信号（ＤＡＴＡ１〜ＤＡＴＡ３）などの信号、及び高電源電位、低電源電位などの駆動用電源が入力される。
【００１９】
図１（Ｂ）〜（Ｄ）は、画素の回路構成例を示す図である。具体的には、図１（Ｂ）は、領域１０１に配設された画素１５１の回路構成例を示す図であり、図１（Ｃ）は、領域１０２に配設された画素１５２の回路構成例を示す図であり、図１（Ｄ）は、領域１０３に配設された画素１５３の回路構成例を示す図である。図１（Ｂ）に示す画素１５１は、ゲートが走査線１３に電気的に接続され、ソース及びドレインの一方が信号線１４１に電気的に接続されたトランジスタ１５１１と、一方の電極がトランジスタ１５１１のソース及びドレインの他方に電気的に接続され、他方の電極が容量電位を供給する配線（容量配線ともいう）に電気的に接続された容量素子１５１２と、一方の電極（画素電極ともいう）がトランジスタ１５１１のソース及びドレインの他方並びに容量素子１５１２の一方の電極に電気的に接続され、他方の電極（対向電極ともいう）が対向電位を供給する配線に電気的に接続された液晶素子１５１３と、を有する。
【００２０】
図１（Ｃ）に示す画素１５２及び図１（Ｄ）に示す画素１５３も回路構成自体は、図１（Ｂ）に示す画素１５１と同一である。ただし、図１（Ｃ）に示す画素１５２では、トランジスタ１５２１のソース及びドレインの一方が信号線１４１ではなく信号線１４２に電気的に接続される点が図１（Ｂ）に示す画素１５１と異なり、図１（Ｄ）に示す画素１５３では、トランジスタ１５３１のソース及びドレインの一方が信号線１４１ではなく信号線１４３に電気的に接続される点が図１（Ｂ）に示す画素１５１と異なる。
【００２１】
＜走査線駆動回路１１の構成例＞
図２（Ａ）は、図１（Ａ）に示す液晶表示装置が有する走査線駆動回路１１の構成例を示す図である。図２（Ａ）に示す走査線駆動回路１１は、ｍ個の出力端子を有するシフトレジスタ１１０と、第１及び第２の入力端子並びに出力端子を有するＡＮＤゲート１１１＿１乃至ＡＮＤゲート１１１＿ｍと、を有する。なお、ＡＮＤゲート１１１＿ａ（ａは、ｍ以下の奇数）は、第１の入力端子がシフトレジスタ１１０のａ番目の出力端子に電気的に接続され、第２の入力端子が第１のパルス幅制御信号（ＰＷＣ１）を供給する配線に電気的に接続され、出力端子が画素部１０においてａ行目に配設された走査線１３＿ａに電気的に接続される。また、ＡＮＤゲート１１１＿ｂ（ｂは、ｍ以下の偶数）は、第１の入力端子がシフトレジスタ１１０のｂ番目の出力端子に電気的に接続され、第２の入力端子が第２のパルス幅制御信号（ＰＷＣ２）を供給する配線に電気的に接続され、出力端子が画素部１０においてｂ行目に配設された走査線１３＿ｂに電気的に接続される。
【００２２】
シフトレジスタ１１０は、外部から入力される走査線駆動回路用スタートパルス（ＧＳＰ）としてハイレベルの電位を示す信号が入力されることで、１番目の出力端子乃至ｍ番目の出力端子において順次ハイレベルの電位を出力する機能を有する。なお、シフトレジスタ１１０では、走査線駆動回路用クロック信号（ＧＣＫ）１／２周期毎にハイレベルの電位を出力する出力端子が切り替わることとする。すなわち、シフトレジスタ１１０において、走査線駆動回路用クロック信号（ＧＣＫ）１／２周期毎にハイレベルの電位を示す信号のシフトが行われ、当該信号がｍ個の出力端子から順次出力される。また、シフトレジスタ１１０は、外部から入力される走査線駆動回路用クロック信号（ＧＣＫ）の供給が停止されることで、当該信号のシフトを中断する機能を有する。
【００２３】
上述した走査線駆動回路１１の動作例について図２（Ｂ）を参照して説明する。なお、図２（Ｂ）には、走査線駆動回路用スタートパルス（ＧＳＰ）、走査線駆動回路用クロック信号（ＧＣＫ）、シフトレジスタ１１０が有するｍ個の出力端子から出力される信号（ＳＲ１１０Ｏｕｔ）、第１のパルス幅制御信号（ＰＷＣ１）、第２のパルス幅制御信号（ＰＷＣ２）、及び走査線１３＿１乃至走査線１３＿ｍの電位を示している。
【００２４】
図２（Ｂ）に示す動作例においては、サンプリング期間（ｔ１）以前に、シフトレジスタ１１０には少なくとも３回走査線駆動回路用スタートパルス（ＧＳＰ）が入力される。具体的には、サンプリング期間（ｔ１）において、シフトレジスタ１１０の１番目の出力端子乃至ｋ番目の出力端子が順次ハイレベルの電位を出力し、且つ（ｋ＋１）番目の出力端子乃至２ｋ番目の出力端子が順次ハイレベルの電位を出力し、且つ（２ｋ＋１）番目の出力端子乃至ｍ番目の出力端子が順次ハイレベルの電位を出力するように走査線駆動回路用スタートパルス（ＧＳＰ）が入力される。
【００２５】
これにより、サンプリング期間（ｔ１）において、ＡＮＤゲート１１１＿１乃至ＡＮＤゲート１１１＿ｍのそれぞれは、シフトレジスタ１１０のｍ個の出力端子から出力される信号のいずれかと、第１のパルス幅制御信号（ＰＷＣ１）又は第２のパルス幅制御信号（ＰＷＣ２）との論理積を出力する。すなわち、サンプリング期間（ｔ１）において、１行目に配設された走査線１３＿１乃至ｋ行目に配設された走査線１３＿ｋに対して順次ハイレベルの電位（選択信号）が供給され、且つ（ｋ＋１）行目に配設された走査線１３＿ｋ＋１乃至２ｋ行目に配設された走査線１３＿２ｋに対して順次ハイレベルの電位（選択信号）が供給され、且つ（２ｋ＋１）行目に配設された走査線１３＿２ｋ＋１乃至ｍ行目に配設された走査線１３＿ｍに対して順次ハイレベルの電位（選択信号）が供給される。なお、各走査線にハイレベルの電位が供給される期間（水平走査期間）は、第１のパルス幅制御信号（ＰＷＣ１）又は第２のパルス幅制御信号（ＰＷＣ２）がハイレベルの電位を示す期間と同等である。このように、サンプリング期間（ｔ１）において、走査線駆動回路１１は、走査線駆動回路用クロック信号（ＧＣＫ）１／２周期毎に異なる３行に配設された３ｎ個の画素に対して選択信号を供給することが可能である。
【００２６】
次いで、サンプリング期間（ｔ２）において、走査線駆動回路１１に対する走査線駆動回路用クロック信号（ＧＣＫ）、第１のパルス幅制御信号（ＰＷＣ１）、及び第２のパルス幅制御信号（ＰＷＣ２）の供給が停止される。具体的には、これらの信号を供給する配線にロウレベルの電位が供給される。これにより、シフトレジスタ１１０におけるハイレベルの電位を示す信号のシフトが中断され、且つ走査線１３＿１乃至走査線１３＿ｍにはロウレベルの電位（非選択信号）が供給される。
【００２７】
次いで、サンプリング期間（ｔ３）において、走査線駆動回路１１に対する走査線駆動回路用クロック信号（ＧＣＫ）、第１のパルス幅制御信号（ＰＷＣ１）、及び第２のパルス幅制御信号（ＰＷＣ２）の供給を再開する。また、当該走査線回路用クロック信号（ＧＣＫ）の供給直前に、走査線駆動回路用スタートパルス（ＧＳＰ）を走査線駆動回路１１に入力する。これにより、サンプリング期間（ｔ３）において、サンプリング期間（ｔ１）と同様の動作を行うことが可能である。すなわち、走査線駆動回路１１は、サンプリング期間（ｔ３）において、走査線駆動回路用クロック信号（ＧＣＫ）１／２周期毎に異なる３行に配設された３ｎ個の画素に対して選択信号を供給することが可能である。
【００２８】
図２（Ｂ）に示す動作例においては、以降の期間において上述した動作と同様の動作を行う事とする。すなわち、当該動作例においては、走査線駆動回路用クロック信号（ＧＣＫ）１／２周期毎に特定の３行に配設された３ｎ個の画素に対して選択信号を供給することが可能なサンプリング期間と、すべての画素に対して非選択信号が供給されるサンプリング期間とを繰り返すこととする。
【００２９】
＜信号線駆動回路１２の構成例＞
図３（Ａ）は、図１（Ａ）に示す液晶表示装置が有する信号線駆動回路１２の構成例を示す図である。図３（Ａ）に示す信号線駆動回路１２は、ｎ個の出力端子を有するシフトレジスタ１２０と、トランジスタ１２１＿１乃至トランジスタ１２１＿ｎと、トランジスタ１２２＿１乃至トランジスタ１２２＿ｎと、トランジスタ１２３＿１乃至トランジスタ１２３＿ｎと、を有する。なお、トランジスタ１２１＿ｓ（ｓは、ｎ以下の自然数）のゲートは、シフトレジスタ１２０が有するｓ番目の出力端子に電気的に接続され、ソース及びドレインの一方は、第１の画像信号（ＤＡＴＡ１）を供給する配線に電気的に接続され、ソース及びドレインの他方は、画素部１０においてｓ列目に配設された信号線１４１＿ｓに電気的に接続される。また、トランジスタ１２２＿ｓのゲートは、シフトレジスタ１２０が有するｓ番目の出力端子に電気的に接続され、ソース及びドレインの一方は、第２の画像信号（ＤＡＴＡ２）を供給する配線に電気的に接続され、ソース及びドレインの他方は、画素部１０においてｓ列目に配設された信号線１４２＿ｓに電気的に接続される。また、トランジスタ１２３＿ｓのゲートは、シフトレジスタ１２０が有するｓ番目の出力端子に電気的に接続され、ソース及びドレインの一方は、第３の画像信号（ＤＡＴＡ３）を供給する配線に電気的に接続され、ソース及びドレインの他方は、画素部１０においてｓ列目に配設された信号線１４３＿ｓに電気的に接続される。
【００３０】
図３（Ｂ）は、第１の画像信号（ＤＡＴＡ１）乃至第３の画像信号（ＤＡＴＡ３）を供給する配線が供給する画像信号のタイミングの一例を示す図である。図３（Ｂ）に示すように、第１の画像信号（ＤＡＴＡ１）を供給する配線は、サンプリング期間（ｔ１）において、１行目に配設された画素乃至ｋ行目に配設された画素用の赤（Ｒ）を呈する光の透過を制御するための画像信号（ｄａｔａＲ（１→ｋ））を供給し、サンプリング期間（ｔ３）において、１行目に配設された画素乃至ｋ行目に配設された画素用の緑（Ｇ）を呈する光の透過を制御するための画像信号（ｄａｔａＧ（１→ｋ））を供給し、サンプリング期間（ｔ５）において、１行目に配設された画素乃至ｋ行目に配設された画素用の青（Ｂ）を呈する光の透過を制御するための画像信号（ｄａｔａＢ（１→ｋ））を供給し、その他のサンプリング期間（ｔ２、ｔ４、ｔ６）において、画像信号を供給しない。また、第２の画像信号（ＤＡＴＡ２）を供給する配線は、サンプリング期間（ｔ１）において、（ｋ＋１）行目に配設された画素乃至２ｋ行目に配設された画素用の赤（Ｒ）を呈する光の透過を制御するための画像信号（ｄａｔａＲ（ｋ＋１→２ｋ））を供給し、サンプリング期間（ｔ３）において、（ｋ＋１）行目に配設された画素乃至２ｋ行目に配設された画素用の緑（Ｇ）を呈する光の透過を制御するための画像信号（ｄａｔａＧ（ｋ＋１→２ｋ））を供給し、サンプリング期間（ｔ５）において、（ｋ＋１）行目に配設された画素乃至２ｋ行目に配設された画素用の青（Ｂ）を呈する光の透過を制御するための画像信号（ｄａｔａＢ（ｋ＋１→２ｋ））を供給し、その他のサンプリング期間（ｔ２、ｔ４、ｔ６）において、画像信号を供給しない。また、第３の画像信号（ＤＡＴＡ３）を供給する配線は、サンプリング期間（ｔ１）において、（２ｋ＋１）行目に配設された画素乃至ｍ行目に配設された画素用の赤（Ｒ）を呈する光の透過を制御するための画像信号（ｄａｔａＲ（２ｋ＋１→ｍ））を供給し、サンプリング期間（ｔ３）において、（２ｋ＋１）行目に配設された画素乃至ｍ行目に配設された画素用の緑（Ｇ）を呈する光の透過を制御するための画像信号（ｄａｔａＧ（２ｋ＋１→ｍ））を供給し、サンプリング期間（ｔ５）において、（２ｋ＋１）行目に配設された画素乃至ｍ行目に配設された画素用の青（Ｂ）を呈する光の透過を制御するための画像信号（ｄａｔａＢ（２ｋ＋１→ｍ））を供給し、その他のサンプリング期間（ｔ２、ｔ４、ｔ６）において、画像信号を供給しない。
【００３１】
＜バックライトの構成例＞
図４は、図１（Ａ）に示す液晶表示装置の画素部１０の後方に設けられるバックライト２０の構成例を示す図である。図４に示すバックライトは、赤（Ｒ）、緑（Ｇ）、青（Ｂ）のいずれか一を呈する光を発光する３種の光源を備えたバックライトユニット２００がマトリクス状に配設されている。なお、当該光源としては、発光ダイオード（ＬＥＤ）などを適用することが可能である。
【００３２】
＜液晶表示装置の動作例＞
図５は、上述した液晶表示装置における選択信号のシフトと、バックライトの点灯タイミングとを示す図である。なお、図５において、縦軸は画素部１０の行を表し、横軸は時間を表している。当該液晶表示装置は、サンプリング期間（ｔ１）において、１行目に配設されたｎ個の画素１５１からｋ行目に配設されたｎ個の画素１５１を行毎に順次選択し、且つ（ｋ＋１）行目に配設されたｎ個の画素１５２から２ｋ行目に配設されたｎ個の画素１５２を行毎に順次選択し、且つ（２ｋ＋１）行目に配設されたｎ個の画素１５３からｍ行目に配設されたｎ個の画素１５３を行毎に順次選択することで、各画素に赤（Ｒ）を呈する光の透過を制御するための画像信号を入力することが可能である。同様に、当該液晶表示装置は、サンプリング期間（ｔ３）において、各画素に緑（Ｇ）を呈する光の透過を制御するための画像信号を入力し、サンプリング期間（ｔ５）において、各画素に青（Ｂ）を呈する光の透過を制御するための画像信号を入力することが可能である。
【００３３】
さらに、当該液晶表示装置では、サンプリング期間（ｔ２）において、バックライト２０から赤（Ｒ）を呈する光が画素部１０に対して照射され、サンプリング期間（ｔ４）において、バックライト２０から緑（Ｇ）を呈する光が画素部１０に対して照射され、サンプリング期間（ｔ６）において、バックライト２０から青（Ｂ）を呈する光が画素部１０に対して照射される。
【００３４】
＜本実施の形態の液晶表示装置について＞
本明細書で開示される液晶表示装置は、マトリクス状に配設された画素のうち、複数行に配設された画素に対して同時に画像信号を供給することが可能である。これにより、当該液晶表示装置が有するトランジスタの移動度などの特性に制約されることなく、各画素に対する画像信号の入力頻度を向上させることが可能になる。その結果、当該液晶表示装置は、フィールドシーケンシャル方式によって表示を行う液晶表示装置におけるカラーブレイクなどの表示劣化を抑制し、画質を向上させることが可能である。
【００３５】
＜変形例＞
上述した液晶表示装置は、本発明の一態様であり、当該液晶表示装置と異なる点を有する液晶表示装置も本発明には含まれる。
【００３６】
例えば、上述した液晶表示装置においては、画素部１０を３つの領域に分割する構成について示したが、本発明の液晶表示装置は、当該構成に限定されない。すなわち、本発明の液晶表示装置では、画素部１０を３以外の複数の領域に分割する構成とすることが可能である。なお、自明ではあるが、当該領域数を変化させる場合、当該領域数と同数の信号線を設ける必要及び走査線駆動回路用スタートパルス（ＧＳＰ）の入力タイミングを適宜制御する必要があることを付記する。
【００３７】
また、上述した液晶表示装置においては、液晶素子に印加される電圧を保持するための容量素子が設けられる構成（図１（Ｂ）〜（Ｄ）参照）について示したが、当該容量素子を設けない構成とすることも可能である。この場合、画素の開口率を向上させることが可能である。また、画素部に延在する容量配線を削除することができるため、画素部に延在する各種配線の高速駆動が可能となる。
【００３８】
また、上述した液晶表示装置においては、サンプリング期間（ｔ２、ｔ４、ｔ６）の初期において、バックライトの点灯を行わない期間（消灯期間）を設ける構成（図６（Ａ）参照）とすることが可能である。これにより、サンプリング期間（ｔ１、ｔ３、ｔ５）の末期において画像信号が入力される画素（例えば、画素部においてｋ行目及び２ｋ行目に配設された画素）が有する液晶素子の応答時間を確保することができる。すなわち、当該画素における光漏れを抑制することが可能となる。
【００３９】
また、サンプリング期間（ｔ２、ｔ４、ｔ６）の末期において、バックライトの点灯を行わない期間（消灯期間）を設ける構成（図６（Ｂ）参照）とすることが可能である。これにより、当該液晶表示装置が有する液晶素子の他方の電極（対向電極）に与えられる対向電位の極性を反転（コモン反転）する期間を確保することができる。なお、一般の液晶表示装置においては、液晶素子の劣化を抑制するため該液晶素子に印加される電圧を特定の期間毎に反転すること（画素に入力される画像信号が特定の期間毎に、対向電位よりも高い電位及び対向電位よりも低い電位となるように切り替えること）が多い。ここで、コモン反転駆動を行うことにより画像信号の電圧振幅を低減することが可能である。なお、図６（Ｂ）では、サンプリング期間（ｔ２、ｔ４、ｔ６）において、当該消灯期間を設ける構成について示したが、サンプリング期間（ｔ２、ｔ４、ｔ６）のいずれかにおいてのみ当該消灯期間を設ける構成とすることも可能である。例えば、画素部において１枚の画像が形成される期間毎に当該消灯期間を設ける構成とすることも可能である。
【００４０】
また、上述した液晶表示装置においては、バックライトが画素部に対して赤（Ｒ）、緑（Ｇ）、及び青（Ｂ）のそれぞれの色を呈する光を順次照射する構成（図５参照）について示したが、本発明の液晶表示装置は、当該構成に限定されない。例えば、バックライトにおいて赤（Ｒ）、緑（Ｇ）、及び青（Ｂ）を呈する光の発光が可能な光源を同時に点灯させることで、白（Ｗ）を呈する光を生成し、該白（Ｗ）を呈する光を画素部に対して照射する構成（図７（Ａ）参照）とすることが可能である。また、画素部において画像を形成した後にバックライトを消灯する期間（黒挿入期間）を設ける構成（図７（Ｂ）参照）とすることも可能である。黒挿入期間を設けることにより、カラーブレイクを抑制することが可能である。また、特定色を呈する光を他の色を呈する光よりも多く画素部に対して照射する構成とすることが可能である。具体的には、視感度の低い青（Ｂ）を呈する光を、視感度の高い緑（Ｇ）よりも多く画素部に対して照射する構成とすることなどが可能である。
【００４１】
また、上述した液晶表示装置においては、バックライトユニットが赤（Ｒ）、緑（Ｇ）、及び青（Ｂ）を呈する光の発光が可能な３種の光源を備える構成について示したが、本発明の液晶表示装置は、当該構成に限定されない。すなわち、本発明の液晶表示装置では、特定の色を呈する光の光源の複数種を任意に組み合わせてバックライトユニットを構成することが可能である。例えば、赤（Ｒ）、緑（Ｇ）、青（Ｂ）、白（Ｗ）、若しくは赤（Ｒ）、緑（Ｇ）、青（Ｂ）、黄（Ｙ）の４種の光源を組み合わせて用いること、又は補色の関係にある複数の色を組み合わせて用いることなどが可能である。なお、バックライトユニットが白（Ｗ）を呈する光を発光する光源を有する場合は、白（Ｗ）を呈する光を混色によって形成するのではなく、当該光源を用いて白（Ｗ）を呈する光を形成することができる。当該光源は、発光効率が高いため、当該光源を用いてバックライトユニットを構成することで、消費電力を低減することが可能である。また、バックライトユニットが補色の関係にある光の２種の光源を有する場合（例えば、青（Ｂ）と黄（Ｙ）を呈する光の２種の光源を有する場合）当該２色を呈する光を混色することで白（Ｗ）を呈する光を形成することも可能である。さらに、淡色の赤（Ｒ）、緑（Ｇ）、及び青（Ｂ）、並びに濃色の赤（Ｒ）、緑（Ｇ）、及び青（Ｂ）の６種の光源を組み合わせて用いること、又は赤（Ｒ）、緑（Ｇ）、青（Ｂ）、シアン（Ｃ）、マゼンタ（Ｍ）、黄色（Ｙ）の６種の光源を組み合わせて用いることなども可能である。このように、より多種の光源を組み合わせることで、当該液晶表示装置において表現できる色域を拡大し、画質を向上させることが可能である。
【００４２】
また、上述した液晶表示装置においては、選択信号のシフトとバックライトの点灯が異なる期間において行われる構成（図５、図６（Ａ）、（Ｂ）、図７（Ａ）、（Ｂ）参照）について示したが、本発明の液晶表示装置は当該構成に限定されない。例えば、選択信号のシフトとバックライトの点灯を並行して行う構成とすることも可能である。当該構成の具体例について図８、９を参照して以下に述べる。
【００４３】
図８（Ａ）は、走査線駆動回路の動作例を示す図である。なお、当該信号線駆動回路として図２（Ａ）に示す構成を有する走査線駆動回路１１を適用することが可能である。図８（Ａ）に示す動作例において、サンプリング期間（Ｔ１、Ｔ２、Ｔ３）における動作は、図２（Ｂ）に示す走査線駆動回路の動作例におけるサンプリング期間（ｔ１、ｔ３、ｔ５）と同じであり、図２（Ｂ）に示す走査線駆動回路の動作例からサンプリング期間（ｔ２、ｔ４、ｔ６）を削除した構成であると言える。
【００４４】
図８（Ｂ）は、信号線駆動回路の動作例を示す図である。なお、当該走査線駆動回路として図３（Ａ）に示す構成を有する信号線駆動回路１２を適用することが可能である。図８（Ｂ）に示す動作例において、第１の画像信号（ＤＡＴＡ１）を供給する配線は、サンプリング期間（Ｔ１）において、１行目に配設された画素乃至ｋ行目に配設された画素用の赤（Ｒ）を呈する光の透過を制御するための画像信号（ｄａｔａＲ（１→ｋ））を供給し、サンプリング期間（Ｔ２）において、１行目に配設された画素乃至ｋ行目に配設された画素用の緑（Ｇ）を呈する光の透過を制御するための画像信号（ｄａｔａＧ（１→ｋ））を供給し、サンプリング期間（Ｔ３）において、１行目に配設された画素乃至ｋ行目に配設された画素用の青（Ｂ）を呈する光の透過を制御するための画像信号（ｄａｔａＢ（１→ｋ））を供給する。また、第２の画像信号（ＤＡＴＡ２）を供給する配線は、サンプリング期間（Ｔ１）において、（ｋ＋１）行目に配設された画素乃至２ｋ行目に配設された画素用の青（Ｂ）を呈する光の透過を制御するための画像信号（ｄａｔａＢ（ｋ＋１→２ｋ））を供給し、サンプリング期間（Ｔ２）において、（ｋ＋１）行目に配設された画素乃至２ｋ行目に配設された画素用の赤（Ｒ）を呈する光の透過を制御するための画像信号（ｄａｔａＲ（ｋ＋１→２ｋ））を供給し、サンプリング期間（Ｔ３）において、（ｋ＋１）行目に配設された画素乃至２ｋ行目に配設された画素用の緑（Ｇ）を呈する光の透過を制御するための画像信号（ｄａｔａＧ（ｋ＋１→２ｋ））を供給する。また、第３の画像信号（ＤＡＴＡ３）を供給する配線は、サンプリング期間（Ｔ１）において、（２ｋ＋１）行目に配設された画素乃至ｍ行目に配設された画素用の緑（Ｇ）を呈する光の透過を制御するための画像信号（ｄａｔａＧ（２ｋ＋１→ｍ））を供給し、サンプリング期間（Ｔ２）において、（２ｋ＋１）行目に配設された画素乃至ｍ行目に配設された画素用の青（Ｂ）を呈する光の透過を制御するための画像信号（ｄａｔａＢ（２ｋ＋１→ｍ））を供給し、サンプリング期間（Ｔ３）において、（２ｋ＋１）行目に配設された画素乃至ｍ行目に配設された画素用の赤（Ｒ）を呈する光の透過を制御するための画像信号（ｄａｔａＲ（２ｋ＋１→ｍ））を供給する。
【００４５】
また、バックライトとして、図４に示す構成のバックライトを適用することが可能である。ただし、ここでは、マトリクス状に配設された複数のバックライトユニット２００の点灯を特定の領域毎に制御することが可能であることとする。具体的には、ｍ行ｎ列にマトリクス状に配設された画素に対するバックライトとして、少なくともｔ行ｎ列毎（ここでは、ｔは、ｋ／４とする）にバックライトユニット２００が設けられ、該バックライトユニット２００の点灯を独立に制御できることとする。すなわち、当該バックライトが、少なくとも１行目乃至ｔ行目用の第１のバックライトユニット群〜（２ｋ＋３ｔ＋１）行目乃至ｍ行目用の第（３ｋ／ｔ）のバックライトユニット群を有し、それぞれのバックライトユニット２００の点灯を独立に制御できることとする。
【００４６】
図９は、上述した液晶表示装置における選択信号のシフトと、バックライトの点灯タイミングとを示す図である。なお、図９において、縦軸は画素部１０の行を表し、横軸は時間を表している。当該液晶表示装置は、サンプリング期間（Ｔ１）において、１行目に配設されたｎ個の画素からｋ行目に配設されたｎ個の画素を順次選択し、且つ（ｋ＋１）行目に配設されたｎ個の画素から２ｋ行目に配設されたｎ個の画素を順次選択し、且つ（２ｋ＋１）行目に配設されたｎ個の画素からｍ行目に配設されたｎ個の画素を順次選択することで、各画素に画像信号を入力することが可能である。さらに、当該液晶表示装置では、サンプリング期間（Ｔ１）内において、１行目に配設されたｎ個の画素からｔ行目に配設されたｎ個の画素に対して赤（Ｒ）の画像信号の入力が終了した後に１行目乃至ｔ行目用バックライトユニットにおいて赤（Ｒ）を点灯させ、且つ（ｋ＋１）行目に配設されたｎ個の画素から（ｋ＋ｔ）行目に配設されたｎ個の画素に対して青（Ｂ）の画像信号の入力が終了した後に（ｋ＋１）行目乃至（ｋ＋ｔ）行目用バックライトユニットにおいて青（Ｂ）を点灯させ、且つ（２ｋ＋１）行目に配設されたｎ個の画素から（２ｋ＋ｔ）行目に配設されたｎ個の画素に対して緑（Ｇ）の画像信号の入力が終了した後に（２ｋ＋１）行目乃至（２ｋ＋ｔ）行目用バックライトユニットにおいて緑（Ｇ）を点灯させることが可能である。すなわち、当該液晶表示装置では、領域（１行目乃至ｎ行目、（ｎ＋１）行目乃至２ｎ行目、及び（２ｎ＋１）行目乃至３ｎ行目）毎に、選択信号のシフトと、特定色を呈するバックライトユニット（赤（Ｒ）、緑（Ｇ）、又は青（Ｂ））の点灯とを並行して行うことが可能である。これにより、当該液晶表示装置が有するトランジスタの移動度などの特性に制約されることなく、各画素に対する画像信号の入力頻度を向上させることが可能になる。その結果、当該液晶表示装置は、フィールドシーケンシャル方式によって表示を行う液晶表示装置におけるカラーブレイクなどの表示劣化を抑制し、画質を向上させることが可能である。
【００４７】
なお、上述した変形例において述べた構成の複数を、図１〜図５を参照して説明した液晶表示装置に対して適用することも可能である。
【００４８】
＜液晶表示装置を搭載した各種電子機器について＞
以下では、上述した液晶表示装置を搭載した電子機器の例について図１０を参照して説明する。
【００４９】
図１０（Ａ）は、ノート型のパーソナルコンピュータを示す図であり、本体２２０１、筐体２２０２、表示部２２０３、キーボード２２０４などによって構成されている。
【００５０】
図１０（Ｂ）は、携帯情報端末（ＰＤＡ）を示す図であり、本体２２１１には表示部２２１３と、外部インターフェイス２２１５と、操作ボタン２２１４等が設けられている。また、操作用の付属品としてスタイラス２２１２がある。
【００５１】
図１０（Ｃ）は、電子書籍２２２０を示す図である。電子書籍２２２０は、筐体２２２１および筐体２２２３の２つの筐体で構成されている。筐体２２２１および筐体２２２３は、軸部２２３７により一体とされており、該軸部２２３７を軸として開閉動作を行うことができる。このような構成により、電子書籍２２２０は、紙の書籍のように用いることが可能である。
【００５２】
筐体２２２１には表示部２２２５が組み込まれ、筐体２２２３には表示部２２２７が組み込まれている。表示部２２２５および表示部２２２７は、続き画面を表示する構成としてもよいし、異なる画面を表示する構成としてもよい。異なる画面を表示する構成とすることで、例えば右側の表示部（図１０（Ｃ）では表示部２２２５）に文章を表示し、左側の表示部（図１０（Ｃ）では表示部２２２７）に画像を表示することができる。
【００５３】
また、図１０（Ｃ）では、筐体２２２１に操作部などを備えた例を示している。例えば、筐体２２２１は、電源２２３１、操作キー２２３３、スピーカー２２３５などを備えている。操作キー２２３３により、頁を送ることができる。なお、筐体の表示部と同一面にキーボードやポインティングデバイスなどを備える構成としてもよい。また、筐体の裏面や側面に、外部接続用端子（イヤホン端子、ＵＳＢ端子、またはＡＣアダプタおよびＵＳＢケーブルなどの各種ケーブルと接続可能な端子など）、記録媒体挿入部などを備える構成としてもよい。さらに、電子書籍２２２０は、電子辞書としての機能を持たせた構成としてもよい。
【００５４】
また、電子書籍２２２０は、無線で情報を送受信できる構成としてもよい。無線により、電子書籍サーバから、所望の書籍データなどを購入し、ダウンロードする構成とすることも可能である。
【００５５】
図１０（Ｄ）は、携帯電話機を示す図である。当該携帯電話機は、筐体２２４０および筐体２２４１の二つの筐体で構成されている。筐体２２４１は、表示パネル２２４２、スピーカー２２４３、マイクロフォン２２４４、ポインティングデバイス２２４６、カメラ用レンズ２２４７、外部接続端子２２４８などを備えている。また、筐体２２４０は、当該携帯電話機の充電を行う太陽電池セル２２４９、外部メモリスロット２２５０などを備えている。また、アンテナは筐体２２４１内部に内蔵されている。
【００５６】
表示パネル２２４２はタッチパネル機能を備えており、図１０（Ｄ）には映像表示されている複数の操作キー２２４５を点線で示している。なお、当該携帯電話は、太陽電池セル２２４９から出力される電圧を各回路に必要な電圧に昇圧するための昇圧回路を実装している。また、上記構成に加えて、非接触ＩＣチップ、小型記録装置などを内蔵した構成とすることもできる。
【００５７】
表示パネル２２４２は、使用形態に応じて表示の方向が適宜変化する。また、表示パネル２２４２と同一面上にカメラ用レンズ２２４７を備えているため、テレビ電話が可能である。スピーカー２２４３およびマイクロフォン２２４４は音声通話に限らず、テレビ電話、録音、再生などが可能である。さらに、筐体２２４０と筐体２２４１はスライドし、図１０（Ｄ）のように展開している状態から重なり合った状態とすることができ、携帯に適した小型化が可能である。
【００５８】
外部接続端子２２４８はＡＣアダプタやＵＳＢケーブルなどの各種ケーブルと接続可能であり、充電やデータ通信が可能になっている。また、外部メモリスロット２２５０に記録媒体を挿入し、より大量のデータの保存および移動に対応できる。また、上記機能に加えて、赤外線通信機能、テレビ受信機能などを備えたものであってもよい。
【００５９】
図１０（Ｅ）は、デジタルカメラを示す図である。当該デジタルカメラは、本体２２６１、表示部（Ａ）２２６７、接眼部２２６３、操作スイッチ２２６４、表示部（Ｂ）２２６５、バッテリー２２６６などによって構成されている。
【００６０】
図１０（Ｆ）は、テレビジョン装置を示す図である。テレビジョン装置２２７０では、筐体２２７１に表示部２２７３が組み込まれている。表示部２２７３により、映像を表示することが可能である。なお、ここでは、スタンド２２７５により筐体２２７１を支持した構成を示している。
【００６１】
テレビジョン装置２２７０の操作は、筐体２２７１が備える操作スイッチや、別体のリモコン操作機２２８０により行うことができる。リモコン操作機２２８０が備える操作キー２２７９により、チャンネルや音量の操作を行うことができ、表示部２２７３に表示される映像を操作することができる。また、リモコン操作機２２８０に、当該リモコン操作機２２８０から出力する情報を表示する表示部２２７７を設ける構成としてもよい。
【００６２】
なお、テレビジョン装置２２７０は、受信機やモデムなどを備えた構成とするのが好適である。受信機により、一般のテレビ放送の受信を行うことができる。また、モデムを介して有線または無線による通信ネットワークに接続することにより、一方向（送信者から受信者）または双方向（送信者と受信者間、あるいは受信者間同士など）の情報通信を行うことが可能である。
【符号の説明】
【００６３】
１０                      画素部
１１                      走査線駆動回路
１２                      信号線駆動回路
１３                      走査線
１３＿１〜１３＿ｍ        走査線
２０                      バックライト
１０１                    領域
１０２                    領域
１０３                    領域
１１０                    シフトレジスタ
１１１＿１〜１１１＿ｍ    ＡＮＤゲート
１２０                    シフトレジスタ
１２１＿１〜１２１＿ｎ    トランジスタ
１２２＿１〜１２２＿ｎ    トランジスタ
１２３＿１〜１２３＿ｎ    トランジスタ
１４１                    信号線
１４１＿１〜１４１＿ｎ    信号線
１４２                    信号線
１４２＿１〜１４２＿ｎ    信号線
１４３                    信号線
１４３＿１〜１４３＿ｎ    信号線
１５１                    画素
１５２                    画素
１５３                    画素
２００                    バックライトユニット
１５１１                  トランジスタ
１５１２                  容量素子
１５１３                  液晶素子
１５２１                  トランジスタ
１５３１                  トランジスタ
２２０１                  本体
２２０２                  筐体
２２０３                  表示部
２２０４                  キーボード
２２１１                  本体
２２１２                  スタイラス
２２１３                  表示部
２２１４                  操作ボタン
２２１５                  外部インターフェイス
２２２０                  電子書籍
２２２１                  筐体
２２２３                  筐体
２２２５                  表示部
２２２７                  表示部
２２３１                  電源
２２３３                  操作キー
２２３５                  スピーカー
２２３７                  軸部
２２４０                  筐体
２２４１                  筐体
２２４２                  表示パネル
２２４３                  スピーカー
２２４４                  マイクロフォン
２２４５                  操作キー
２２４６                  ポインティングデバイス
２２４７                  カメラ用レンズ
２２４８                  外部接続端子
２２４９                  太陽電池セル
２２５０                  外部メモリスロット
２２６１                  本体
２２６３                  接眼部
２２６４                  操作スイッチ
２２６５                  表示部（Ｂ）
２２６６                  バッテリー
２２６７                  表示部（Ａ）
２２７０                  テレビジョン装置
２２７１                  筐体
２２７３                  表示部
２２７５                  スタンド
２２７７                  表示部
２２７９                  操作キー
２２８０                  リモコン操作機
【図１】
2012027452.tif 000003
【図２】
2012027452.tif 000004
【図３】
2012027452.tif 000005
【図４】
2012027452.tif 000006
【図５】
2012027452.tif 000007
【図６】
2012027452.tif 000008
【図７】
2012027452.tif 000009
【図８】
2012027452.tif 000010
【図９】
2012027452.tif 000011
【図１０】
2012027452.tif 000012